(57)【要約】【課題】植物の根の生長と増殖を外部から観察しながら、その生育管理を的確に行うことができるようにする。【解決手段】植物の根の生育を可能にする植木鉢を透明な材料で作り、この植木鉢の外側面を着脱可能な遮光カバーで被覆できるようにした。【選択図】　　　　図２
2004033175.tif 000002
【特許請求の範囲】
【請求項１】
中央部に貯水部を有する皿と、前記貯水部の周囲に下端部を取り付けて皿の上に立ち上げた筒状の鉢と、鉢の底部を形成する多数の穴を有する断面がハット型の底板であって、その頭頂部を貯水部の中に入れ、そのつば部を鉢の下端部に位置するように、皿の上に配置したものと、底板の頭頂部の中に入れた吸水部材とよりなり、かつ前記鉢と皿との間に貯水部から外部に通じる開口部を設けた植木鉢において、前記皿と鉢と底板のうち少なくとも鉢と底板を透明材料で形成し、前記皿と鉢にその外側面を被覆する着脱可能な遮光カバーを取り付けたことを特徴とする遮光カバー付透明植木鉢。
【発明の詳細な説明】
【０００１】
【発明の属する技術分野】
本発明は、洋らん等の根腐れし易い植物の根に充分な酸素と必要な水の供給を可能にするとともに、根の生長と増殖を可能にし、必要に応じ、その根の生長と増殖の具合を外部から観察することを可能にする遮光カバー付透明植木鉢に関するものである。
【０００２】
【従来の技術】
洋らん等の鑑賞植物の生育管理においては、根に適度の水と酸素が常に供給されるように細心の注意がはらわれる。
【０００３】
このような観点から、出願人は、特願平５−３０７１４５号公報において、植物の根に充分な酸素と必要な水の供給を可能にするとともに、根の生長と増殖を可能にする植木鉢を提案した。
【０００４】
この植木鉢は、図５〜図７に示すように、水受部１１を有する皿１２に筒状の鉢本体１３を、鉢本体１３の底辺と水受部１１の開口部周面との間に通気部１８を残して取り付け、前記皿１２の中に、多数の丸穴１６や長穴１７を有し、Ｕ字状に湾曲したスノコ１４を、その水平部が鉢本体１３の底部を閉塞し、かつそのＵ字部が水受部１１内に臨むように配置するとともに、前記スノコ１４内に吸水部材１５を収納した構造のものである。なお、吸水部材１５は通常の素焼きを砕いたもので任意の形状が得られ、皿１２や鉢本体１３の形状に応じて適宜選定される。
【０００５】
この植木鉢に洋らんを植える場合は、スノコ１４内に吸水部材１５を適宜挿入した後に、洋らんの根を水苔で包みこみ、鉢本体１３内に挿入する。そして、鉢本体１３内に直接給水するか、あるいは水受け部１１に遣り水をする。
【０００６】
このようにすると、鉢本体１３内の水苔は根腐れしない程度に保水する。水苔の中の余分な水はスノコ１４の丸穴１６や吸水部材１５を通って水受部１１へと落下する。洋らんの代謝や水の蒸発によって鉢本体１３内の水が不足すると、水受部１１に溜まっている水が吸水部材１５を介して補給される。
【０００７】
根が必要とする空気中の酸素は、通気部１８から入りスノコ１４の丸穴１６や長穴１７を通って流入する空気によって補給される。生長した根はこのスノコ１４の丸穴１６や長穴１７を通って水受部１１内に伸び、空気に直接触れて酸素を吸収して増殖していく。
【０００８】
【発明が解決しようとする課題】
従来の植木鉢は、上述のような構成となっているので、洋らんのように根腐れし易い植物の根に充分な酸素と必要な水を供給することができ、根の成長と増殖を促進することができる。
【０００９】
しかし、従来の植木鉢では、洋らんの根の生長や増殖の具合を外部から観察できないので、根の生育管理を的確に行えない、という問題がある。
【００１０】
本発明は、このような従来の問題点を解決するためになされたもので、植物の根に充分な酸素と必要な水を供給することができ、かつ根の生長と増殖を可能にするとともに、植物の根の生長と増殖を外部から観察しながらその生育管理を的確に行うことができる遮光カバー付透明植木鉢を提供することを目的とする。
【００１１】
【課題を解決するための手段】
本発明が提供する遮光カバー付透明植木鉢は、中央部に貯水部を有する皿と、前記貯水部の周囲に下端部を取り付けて皿の上に立ち上げた筒状の鉢と、鉢の底部を形成する多数の穴を有する断面がハット型の底板であって、その頭頂部を貯水部の中に入れ、そのつば部を鉢の下端部に位置するように、皿の上に配置したものと、底板の頭頂部の中に入れた吸水部材とよりなり、かつ前記鉢と皿との間に貯水部から外部に通じる開口部を設けた植木鉢において、前記皿と鉢と底板のうち少なくとも鉢と底板を透明材料で形成し、前記皿と鉢にその外側面を被覆する着脱可能な遮光カバーを取り付けたものである。
【００１２】
従来の植木鉢との比較で言えば、植木鉢を透明な材料で作り、この植木鉢の外側面を着脱可能な遮光カバーで被覆できるようにしたものである。
【００１３】
【発明の実施の形態】
以下、本発明の実施の形態を実施例によって図面を参照しながら説明する。
【００１４】
図１は、実施例の遮光カバー付透明植木鉢の平面図、図２は図１のＡ−Ａ断面図である。図３は図１の吸水部材を入れ、遮光カバーを取り付ける前の透明植木鉢の平面図、図４は図３のＢ−Ｂ断面図である。
【００１５】
図１〜図４において、１は中央部に貯水部２を設けた皿である。貯水部２は平面形状が円形である。３は貯水部２の周面に下端部を一体に取り付けて皿１の上に立ち上げた筒状の鉢である。
【００１６】
皿１の周面の肩部には、鉢３との間に、貯水部２から外部に通じる開口部（通気部）４，４が設けられている。開口部４は、皿１の肩部の直径方向２個所を船底形に抉って形成した穴である。
【００１７】
５は、鉢３の底部を形成するハット型の底板である。底板５には毛根が充分に通る程度の多数の丸穴６が設けられている。
【００１８】
この底板５は、その頭頂部５ａを下にして皿１の上に配置したとき、同頭頂部５ａが貯水部２の中に入り、つば部５ｂが鉢３の下端部に位置する大きさに作られている。
【００１９】
上記皿１と鉢３と底板５は、この実施例では、透明なプラスチックで作られている。なお、皿１は不透明でもよい。植物の根の生育状態を外部から観察できるからである。
【００２０】
７は、皿１に被せた第１遮光カバー、８は鉢３に被せた第２遮光カバーである。両カバー７，８は、この実施例では、内面が黒色、外面が白色である。
【００２１】
第１遮光カバー７は、中央の穴を鉢３に嵌めて皿１に被せることができ、取り外すこともできる。第２の遮光カバー８は、一対の半円筒型の半カバー８ａ，８ｂを係合部９において係合することによって鉢３に着脱可能に取り付けることができる。
【００２２】
上記係合部９は、一方の半カバー８ａの掛止穴に、他方の半カバー８ｂのフック５の掛止突起を掛止することによって係合される。係合時とその解除時には、両半カバー８ａ，８ｂは弾性変形する。
【００２３】
１０は、底板５の頭頂部５ａの中に入れた吸水部材で、この実施例では、素焼きの鉢を砕いたものである。
【００２４】
実施例の遮光カバー付透明植木鉢は、上述のような構成となっているので、例えば、洋らんを植える場合は、従来と同様、底板５の頭頂部５ａに吸水部材１０を入れ、洋らんの根を水苔で包みこみ、鉢３の中に入れる。そして、鉢３の中に給水し、貯水部２に給水する。
【００２５】
このようにすると、水苔は根腐れを生じない程度に保水し、水苔の中の余分な水は底板５の丸穴６を通って貯水部２に落下する。洋らんの代謝や水の蒸発によって鉢３の中の水が不足すると、貯水部２に溜まっている水が吸水部材１０を介して補給される。
【００２６】
根が必要とする空気中の酸素は、開口部４から入り、底板５の丸穴６を通って流入する空気によって補給される。
【００２７】
生長した根は、丸穴６を通過して貯水部２の中に伸びていき、空気に直接触れて酸素を吸収し、増殖していく。
【００２８】
洋らんの根は、このようにして伸長し、増殖していくが、その過程は、第１、第２遮光カバー７，８を、必要に応じて取り外すことによって外部から観察することができる。
【００２９】
観察を終えたならば、再び第１、第２遮光カバー７，８を取り付けて光を遮ることによって、洋らんの根の生育を促進することができる。
【００３０】
【発明の効果】
以上説明したように、本発明は、上述のような構成としたので、次の効果を同時に奏する。
【００３１】
（１）植物の根に充分な酸素と必要な水を常に供給することができる。
【００３２】
（２）植物の根の生長と増殖を促進することができる。
【００３３】
（３）植物の根の生長と増殖を外部から観察しながら、その生育管理を的確に行うことができる。
【図面の簡単な説明】
【図１】実施例の遮光カバー付透明植木鉢の平面図
【図２】図１のＡ−Ａ断面図
【図３】図１の吸水部材を入れ、遮光カバーを取り付ける前の透明植木鉢の平面図
【図４】図３のＢ−Ｂ断面図
【図５】従来の植木鉢の平面図
【図６】図５のＣ−Ｃ断面図
【図７】図５のＤ−Ｄ断面図
【符号の説明】
１　　皿
２　　貯水部
３　　鉢
４　　開口部
５　　底板
５ａ　頭頂部
５ｂ　つば部
６　　丸穴
７　　第１遮光カバー
８　　第２遮光カバー
９　　係合部
【図１】
2004033175.tif 000003
【図２】
2004033175.tif 000004
【図３】
2004033175.tif 000005
【図４】
2004033175.tif 000006
【図５】
2004033175.tif 000007
【図６】
2004033175.tif 000008
【図７】
2004033175.tif 000009